(57)【要約】【課題】  中高層上階やビル風を受けるマンションの住戸に設置されたドアの郵便受が風圧による音鳴り，風の吹き込み，騒音や塵埃の進入等の現象を呈するのを解消する。【解決手段】  両面フラッシュドア１に形成した透孔２に枠体１３を設置し，これに外側と内側を対とする開閉蓋５，７を郵便投入口４の奥行方向に離隔して相互に連動開閉するように設置し，これらの開閉蓋５，７間に閉鎖空間１０を形成して郵便受３とする。閉鎖空間１０には空気が滞留することによって，郵便受３が風圧を受けても閉鎖空間１０が風圧の緩衝乃至減衰作用又は遮断作用を発揮して，風圧に起因する問題点を悉く解消することができる。特に昭和５０年代頃までに建設されたマンションには鋼製プレスドアが設置されており，風圧の悩みが多いので，そのドア改装に好適である。【選択図】        図２
2005278777.tif 000002
【特許請求の範囲】
【請求項１】
内外方向に一対の開閉蓋を離隔配置することによって郵便投入口を内外２重に閉鎖して該離隔配置一対の開閉蓋間に閉鎖空間を配置してなることを特徴とする郵便受。
【請求項２】
上記離隔配置一対の開閉蓋をそれぞれ内側に向けて跳ね上げ開閉するように配置してなることを特徴とする請求項１に記載の郵便受。
【請求項３】
上記離隔配置一対の開閉蓋を連動して開閉自在としてなることを特徴とする請求項1又は２に記載の郵便受。
【請求項４】
上記郵便受を鋼製ドアに設置してなることを特徴とする請求項１，２又は３に記載の郵便受を用いた郵便受設置鋼製ドア。
【請求項５】
上記郵便受を鋼製ドアの交換用とし，鋼製ドアに設置の既設郵便受を除去してその既設透孔に交換的に設置してなることを特徴とする請求項１，２又は３に記載の郵便受設置鋼製ドア。
【請求項６】
上記離隔配置一対の開閉蓋を金属板によって形成するとともにその合計の板厚を１ｍｍ以上としてなることを特徴とする請求項４又は５に記載の郵便受設置鋼製ドア。
【請求項７】
上記郵便投入口の室内側に該郵便投入口からの透視を防止する目隠しフードを配置してなることを特徴とする請求項４，５又は６に記載の郵便受設置鋼製ドア。
【発明の詳細な説明】
【技術分野】
【０００１】
本発明は郵便受及びこれを設置した鋼製ドアに関する。
【背景技術】
【０００２】
昭和４０年乃至５０年代頃の中高層乃至高層の公団住宅，マンション等の建築物においては各住戸の出入口に，公共住宅用プレスドア，ＫＪドア等と称される鋼板プレスドアが使用されていることが多く，この場合該ドアにはそれぞれ郵便受が設置されている。この場合郵便受は，門柱に設置されると同様に，郵便投入口に室内側に向けて跳ね上げ開閉する鋼板製にして単一の開閉蓋を配置したものとされ，その室内側には該郵便投入口からの郵便取り出し用に開閉自在の郵便受箱を配置したものとされており，またその後の建築物にあって鋼製の両面フラッシュドアが一般化したが，なお各住戸に郵便受を設置する場合，上記ＫＪドアと同様な構成の郵便受が用いられることが多い。
【０００３】
【非特許文献１】株式会社建築技術１９９６年２月１０日発行  図説近代から現代の金属製建築部品の変遷  第１巻開口部関連部品  ６３頁  図４０７  公共住宅用プレスドア  右上図（ドア姿図）
【発明の開示】
【発明が解決しようとする課題】
【０００４】
しかし乍らこの郵便受は，スプリングで閉成方向に付勢されて常に郵便投入口を塞ぐ構造とされてはいるが，外部からの郵便物，新聞等のスムーズな投入をなし得るようにするため完全な封止をすることができないため室内外を連通する隙間が存在しており，また郵便受箱は開閉自在であることによってそれ自体隙間が多い構造とならざるを得ず，また室内側から郵便物，新聞等の存否を視認し得るように透孔が設置されているから，郵便受を設置することによって室内外を封鎖することができず隙間が不可避的に存在して室内外を連通させる結果，例えば風圧を受けると隙間から風が室内側に進入することによって，ピーという高音の音鳴り現象を呈すること，冬季や夏季に外気温の風が直接室内に吹き込んで断熱性が得られないこと，隙間から外部の騒音や塵埃が進入すること等の問題点を有しており，例えば数階程度以上の比較的風圧を受け易い住戸やビル風を受ける住戸等では日常的にかかる問題点に悩まされていることが多い。
【０００５】
本発明はかかる事情に鑑みてなされたもので，その解決課題とするところは，このような風圧に起因する問題点を解消した郵便受を提供するにあり，また新設や改装のドアにおいてこのような風圧に起因する問題点を解消した郵便受設置鋼製ドアを提供するにある。
【課題を解決するための手段】
【０００６】
上記課題に沿って本発明は，郵便受の開閉蓋を内外方向に離隔配置した一対のものとし，該離隔配置することによって一対の開閉蓋間に室内外を閉鎖し空気が滞留する閉鎖空間を配置し，風圧に対して該閉鎖空間が風圧の減衰乃至緩衝作用又は遮断作用を発揮することによって，風圧に起因する音鳴り，外気温の風の室内への吹き込み，外部の騒音や塵埃の進入等，上記風圧に起因する問題点を解消するようにしたものであって，即ち請求項１に記載の発明を，内外方向に一対の開閉蓋を離隔配置することによって郵便投入口を内外２重に閉鎖して該離隔配置一対の開閉蓋間に閉鎖空間を配置してなることを特徴とする郵便受としたものである。
【０００７】
請求項２に記載の発明は，上記に加えて，郵便物，新聞等の投入を従前と同様になし得るようにすることによって違和感のない好ましい形態の郵便受とし得るように，これを，上記離隔配置一対の開閉蓋をそれぞれ内側に向けて跳ね上げ開閉するように配置してなることを特徴とする請求項１に記載の郵便受としたものである。
【０００８】
請求項３に記載の発明は，同じく上記に加えて，更に離隔配置一対の開閉蓋を外側の開閉蓋を郵便物，新聞等で押圧することによって内側の開閉蓋も同時に連動して開くようにすることによって，郵便物，新聞等のスムーズな投入を確保し得る好ましい形態の郵便受とするように，これを，上記離隔配置一対の開閉蓋を連動して開閉自在としてなることを特徴とする請求項1又は２に記載の郵便受としたものである。
【０００９】
請求項４に記載の発明は，新設や改装に係る鋼製ドアに上記郵便受を設置することによって，風圧に起因する音鳴り，外気温の風の室内への吹き込み，外部の騒音や塵埃の進入等，上記風圧に起因する問題点を解消した郵便受設置の鋼製ドアを提供するように，これを，上記郵便受を鋼製ドアに設置してなることを特徴とする請求項１，２又は３に記載の郵便受を用いた郵便受設置鋼製ドアとしたものである。
【００１０】
請求項５に記載の発明は，上記に加えて，例えば従前の郵便受を設置した鋼製ドアにおいて，その郵便受のみを既設透孔に交換的に設置することによって，風圧に起因する音鳴り，外気温の風の室内への吹き込み，外部の騒音や塵埃の進入等，上記風圧に起因する問題点を解消した好ましい形態の鋼製ドアに変更し得るように，これを，上記郵便受を鋼製ドアの交換用とし，鋼製ドアに設置の既設郵便受を除去してその既設透孔に交換的に設置してなることを特徴とする請求項１，２又は３に記載の郵便受設置鋼製ドアとしたものである。
【００１１】
請求項６に記載の発明は，同じく上記に加えて，一対の開閉蓋を金属板によるものとするとともにその合計の板厚を所定以上のものとすることによって郵便受を設置した鋼製ドアの防火戸適合性を損うことなく維持するとともに郵便受乃至その一対の開閉蓋を比較的薄い板厚によって構成し得る好ましい形態のドアとするように，これを，上記離隔配置一対の開閉蓋を金属板によって形成するとともにその合計の板厚を１ｍｍ以上としてなることを特徴とする請求項４又は５に記載の郵便受設置鋼製ドアとしたものである。
【００１２】
請求項７に記載の発明は，同じく上記に加えて，郵便投入口からの透視を防止し防犯性を向上した好ましい形態のドアとするように，これを，上記郵便投入口の室内側に該郵便投入口の透視を防止する目隠しフードを配置してなることを特徴とする請求項４，５又は６に記載の郵便受設置鋼製ドアとしたものである。
【００１３】
本発明はこれらをそれぞれ発明の要旨として上記課題解決の手段としたものである。
【発明の効果】
【００１４】
本発明は以上のとおりに構成したから，請求項１に記載の発明は，郵便受の開閉蓋を内外方向に離隔配置した一対のものとし，該離隔配置することによって一対の開閉蓋間に室内外を閉鎖し空気が滞留する閉鎖空間を配置し，郵便受に対する風圧を該閉鎖空間で風圧の減衰乃至緩衝作用又は遮断作用を発揮させることによって，風圧に起因する音鳴り，外気温の風の室内への吹き込み，外部の騒音や塵埃の進入等，上記風圧に起因する問題点を解消した郵便受を提供することができる。
【００１５】
請求項２に記載の発明は，上記に加えて，郵便物，新聞等の投入を従前と同様になし得るようにすることによって違和感のない好ましい形態の郵便受とすることができる。
【００１６】
請求項３に記載の発明は，同じく上記に加えて，更に離隔配置一対の開閉蓋を外側の開閉蓋を郵便物，新聞等で押圧することによって内側の開閉蓋も同時に連動して開くことによって，郵便物，新聞等のスムーズな投入を確保し得る好ましい形態の郵便受とすることができる。
【００１７】
請求項４に記載の発明は，上記新設や改装に係る鋼製ドアに上記郵便受を設置することによって，風圧に起因する音鳴り，外気温の風の室内への吹き込み，外部の騒音や塵埃の進入等，上記風圧に起因する問題点を解消した郵便受設置の鋼製ドアを提供することができる。
【００１８】
請求項５に記載の発明は，上記に加えて，例えば従前の郵便受を設置した鋼製ドアにおいて，その郵便受のみを既設透孔に交換的に設置することによって，風圧に起因する音鳴り，外気温の風の室内への吹き込み，外部の騒音や塵埃の進入等，上記風圧に起因する問題点を解消した好ましい形態の鋼製ドアに変更することができる。
【００１９】
請求項６に記載の発明は，同じく上記に加えて，一対の開閉蓋を金属板によるものとするとともにその合計の板厚を所定以上のものとすることによって郵便受を設置した鋼製ドアの防火戸適合性を損うことなく維持するとともに郵便受乃至その一対の開閉蓋を比較的薄い板厚によって構成し得る好ましい形態のドアとすることができる。
【００２０】
請求項７に記載の発明は，同じく上記に加えて，郵便投入口からの透視を防止して防犯性を向上した好ましい形態のドアとすることができる。
【発明を実施するための最良の形態】
【００２１】
以下図面の例に従って本発明を更に具体的に説明すれば，図１乃至図３において，１は，新築建築物の各住戸に設置する新設用ドアとし，またカバー工法，はつり工法，ドア交換工法等のドア改装によって同じく既設建築物の住戸に設置する改装用ドアとして用いる鋼製ドアであり，該鋼製ドア１は，例えば例えば，図示省略の中骨の内外表面に，例えば０．６ｍｍ，０．８ｍｍ等適宜の板厚によるカラー鋼板等の金属表面板を配置するとともに内部空間に発泡樹脂，グラスウール等の充填材を配置することによって鋼製の両面フラッシュドアとして構成したものとしてあり，このとき該鋼製ドア１は，その面内中間位置，例えば中央より幾分下方位置に透設した，例えば横長矩形の透孔に郵便受３を設置し，本例にあってその室内側に該郵便投入口４の透視を防止する目隠しフード２５を，またその下位には図示省略の箱乃至袋等の郵便受体をそれぞれ配置したものとしてある。
【００２２】
郵便受３は，内外方向に一対の開閉蓋５，７を離隔配置することによって郵便投入口４を内外２重に閉鎖して該離隔配置一対の開閉蓋５，７間に閉鎖空間１０を配置したものとし，本例にあって上記離隔配置一対の開閉蓋５，７は，これをそれぞれ内側に向けて跳ね上げ開閉するように配置したものとし，また該離隔配置一対の開閉蓋５，７は，これを連動して開閉自在としたものとしてある。
【００２３】
本例の郵便受３は，上記鋼製ドア１の透孔２に装着する枠体１３と，該枠体１３に開閉自在に設置した一対の開閉蓋５，７とを備えたものとしてあり，本例にあって該枠体１３は，これを上記透孔２周縁を外側，即ち室外側で覆う化粧枠１４と，上記透孔２に嵌挿する内枠１７とによる複数部材によって形成してあり，このとき本例にあっては上記化粧枠１４に外側の開閉蓋５を，内枠１７に内側の開閉蓋７をそれぞれ設置したものとしてある。
【００２４】
即ち化粧枠１３は，透孔２の周縁に対接してこれを化粧被覆する垂直面をなす外周縁部と，該外周縁部から透孔２の奥行方向に向けて内方に縮小するように傾斜して装飾と雨返し面をなす絞り加工面と，その内側に開口した郵便投入口４とを備えた金属板材のプレス加工品，特に絞り成形品によるものとしてあり，内枠１７は該化粧枠１４の上記外周縁部背面に外側先端を配置するとともに内側先端を上記透孔２の室内側周縁を覆うように透孔２に嵌挿し，鋼製ドア１の見込寸法に略合せた奥行を有して内外を貫通したボックス状の幅広枠とし，その内側，即ち室内側に面外方向に向けて張出突出して鋼製ドア１室内側の透孔２周縁を化粧被覆する張出フィン１８とを備えた金属板材の板金加工品によるものとしてあり，このとき本例にあって該内枠１７は，例えばその天板，側板を透孔２の奥行方向，即ち室内側に向けてそれぞれ外方に向けて傾斜する傾斜面としてその室外側を拡開してその開口を広く確保する一方，底板は，これを逆に透孔２の奥行方向に向けて上昇する傾斜面として，幅広の内枠１７に雨水が浸入したときにその雨返し面２０をなし雨水が室内側に至ることのないようにして郵便受３の防水性を確保したものとしてある。
【００２５】
一対の開閉蓋５，７は，例えば矩形パネル状のプレス加工品乃至板金加工品によるものとし，化粧枠１４に設置する外側の開閉蓋５は上記郵便投入口３の周縁に対接して該郵便投入口３に透孔２内部において閉塞する面積のものとし，例えば該郵便投入口３の周縁に向けて付勢して該郵便投入口３を常時封止するようにしてあり，該外側の開閉蓋５は，これを化粧枠の郵便投入口３上部背面に回動自在に軸支固定してその跳ね上げ開閉を可能とするとともに該軸支固定に際して，例えば捩りコイルばね等のバネによって上記郵便投入口３に向けた付勢を行なってある。
【００２６】
また上記内枠１７に設置する内側の開閉蓋７は，同じく，例えば矩形パネル状のプレス加工品乃至板金加工品とし，内枠１７室内側の開口周縁，特に両側部と下部に対接して該開口をその室内側において閉塞する面積のものとし，同じく該開口の周縁に向けて同様に付勢してこれを常時封止するようにしてあり，内枠１７の天板下面の室内側端部位置に回動自在に軸支固定し，同様にその跳ね上げ開閉を可能としてあり，このとき上記付勢は同じくバネによってこれを行ってある。
【００２７】
このとき内側の開閉蓋７は，特にその下端に幅広の内枠１７の上記傾斜した底板の雨返し面２０上面に向けて室外側に傾斜突出した傾斜突片８を備えたものとし，該開閉蓋７の閉鎖状態で該傾斜突片８を底板の雨返し面２０に当接して雨返し面２０の雨水が室内側に及ぶのを防止するようにしてあり，本例にあって傾斜突片８は，該内側の開閉蓋７下端を，例えば２重に折り返してこれを下端に設置するとともにその先端位置を開閉蓋７の開閉に際して内枠１７の雨返し面２０に摺接して回動し又は離隔して回動するようにして底板に形成した傾斜した雨返し面２０によってその回動が妨げられないように位置するものとしてあり，本例にあっては上記傾斜突片８の先端にクッション材，モヘア，パッキング等適宜の気密材２１を配置し，該気密材２１を介して，内側の開閉蓋７の開閉時に該気密材２１が上記雨返し面２０に摺接して回動するように，これを行ったものとしてある。
【００２８】
このように室外側の化粧枠１４に外側の開閉蓋５を設置し，内枠１７の室内側端部に内側の開閉蓋７をそれぞれ軸支固定して，鋼製ドア１の見込寸法分の奥行を有する透孔２の前後を塞ぐようにこれら一対の開閉蓋５，７を配置したことによって該一対の開閉蓋５，７は，透孔２の前後方向，即ち郵便受３の内外方向に離隔して配置されて該郵便投入口４を内外２重に閉鎖するものとなるとともにこれら離隔配置一対の開閉蓋５，７間には，これらによって封止された閉鎖空間１０が配置され，後述のように該閉鎖空間１０が郵便受３に対する風圧を減衰乃至緩衝し又は遮断して該風圧に起因する問題点を解決するに至る。
【００２９】
このとき上記離隔配置一対の開閉蓋５，７は，これを連動して開閉自在としてあり，これによって外側の開閉蓋５を郵便物，新聞等で押圧することによって内側の開閉蓋７はこれに連動して開成し，これらが外側の開閉蓋７位置を通過すると同じく連動して閉成するようにし，例えば個別に開閉するように該一対の開閉蓋５，７を設置するものに比して郵便物，新聞等の投入を容易化するようにしてある。
【００３０】
該一対の開閉蓋５，７の連動は，これらの間に配置した連動手段を介してこれを行なうようにしてあり，本例にあって該連動手段は，例えば外側の開閉蓋５の押圧開成によってその下端が内側の開閉蓋７の外側に位置する裏面を摺動押圧することによって，該内側の開閉蓋７を外側の開閉蓋５の開成に応じて同時的に連動開成するようにした，これら一対の開閉蓋５，７離隔の間隔，外側の開閉蓋５の上下寸法等，相互の位置と寸法の関係による押圧回動構造によってこれを形成したものとしてあり，このとき本例にあって外側の開閉蓋５の下端にはこれをやや部分的に室内側に折曲した２箇所の押圧部６を配置し，上記内側の開閉蓋７の摺動押圧を摩擦抵抗の少ない線接触によるものとするとともに内側の開閉蓋７の上記２箇所の押圧部に対応して摺動面の幅方向２箇所に摩擦抵抗の少ない平滑な摺動プレート９を配置し，可及的に摺動押圧をスムーズ且つ安定してなし得るようにした連動手段としてある。
【００３１】
本例の郵便受３は，更に枠体１３，即ちその化粧枠１４と内枠１７及び一対の開閉蓋５，７の全部又は一部の構成部材の裏面乃至内側に断熱性材料，遮音性材料等の配置してあり，本例にあっては例えばその塗布材料を塗布して塗布層２２を形成することによってその断熱性と遮音性を確保し得るようにしてある。また本例の郵便受３は，上記傾斜突片８の先端に配置した気密材２１以外に，枠体１３の化粧枠１４の上方位置と鋼製ドア１の対接部，内枠１４の底板先端と内側の開閉蓋７下端の対接部等，例えば枠体１３の化粧枠１３の下方位置と鋼製ドアの対接部に配置形成した内枠１７からの水抜き孔部分を除く，郵便受３における適宜の構成部材間に必要に応じて同様な気密材２１を介設してあり，これによって上記閉鎖空間１０の気密性乃至水密性を可及的に向上確保し，該閉鎖空間１０を空気滞留の安定した封止空間乃至気密空間とするようにしてある。
【００３２】
このように構成した郵便受３は，化粧枠１４に外側の開閉蓋５を，内枠１７に内側の開閉蓋７をそれぞれ開閉自在に軸支固定した状態で，例えば鋼製ドア１の外側，即ち室外側で枠体１３の化粧枠１４がその透孔２周縁に対接するように，これを室外側に配置し，枠体１３の内枠１５に形成した張出フィン１８が同じく鋼製ドア１の内側，即ち室内側で透孔２周縁に対接して，該化粧枠１４と内枠１７とによって鋼製ドア１の透孔２周縁を挟持するようにその装着を行って，化粧枠１４で室外側を覆い且つ内枠１７を透孔２に嵌挿するとともにこれによって上記封鎖空間１０を形成するようにしてある。このとき上記化粧枠１４と内枠１７は，例えばその側部背面に取付金具１５を設置し，該取付金具１５に形成したナット１６に対して，内枠１７側部の張出フィン１８の貫通孔１９からのボルト，本例にあっては後述の目隠しフード２５の取付フィン２６から化粧額縁２４を介して貫通孔１９を通る固定ボルト２３を螺入し，鋼製ドア１の透孔２端部を挟持した状態でこれらを相互に固定して鋼製ドア１に設置してある。
【００３３】
一方目隠しフード２５は，室外面と下面を開放する一方，上面，側面，室内面を閉塞し且つこれら上面，側面，室内面の室外側端部に外方に張出突出した取付フィン２６を備えた，例えば金属板材の板金加工品としてあり，該取付フィン２６を鋼製ドア１室内側の透孔２周縁に，上記内枠１７の張出フィン１８と重合して上記ボルト２３によって同時に固定して，例えば外側の開閉蓋５を押圧して開閉蓋５，７を開けて郵便投入口４から内部を覗こうとしてもその室内面が透視を遮断して，室内の様子を看取できないようにしてある。
【００３４】
図中２４は，郵便受３の室内側周縁を被覆して，室内外観を化粧するように配置し上記固定ボルト２３によって同時に固定した枠体１３，特に内枠１７の端部を被覆する化粧額縁，２７は，上記図示省略の箱乃至袋等の郵便受体を，例えばＳ字等のフック金具を用いて引掛支持するように目隠しフード２５の両側の側面に設置した金具受孔を示す。
【００３５】
図４は，郵便受３における他の例，特に一対の開閉蓋５，７の開閉を連動する連動手段の他の例を示したもので，本例にあって該連動手段は，該一対の開閉蓋５，７の下方両側に軸受金具１１を設置し，該軸受金具１１に軸を回転自在に軸支することによって，軸受金具１１間を回動自在の連動プレート１２によって連結して，それぞれ上記化粧枠１４と内枠１７に軸支固定した一対の開閉蓋５，７をその下方でリンク結合して，４点支持した一対の開閉蓋５，７をパンタグラフ状に折畳むようにしてその連動を行なった例であり，本例にあっても外側の開閉蓋５を郵便物，新聞等で押圧することによって同時且つ直接的に内側の開閉蓋７の連動した開成をなし得るものとしてある。
【００３６】
図４におけるその余は，上記例と同様に構成したので，同一符号を付してその重複する説明を省略する。
【００３７】
以上に示した例にあっては，郵便受３の開閉蓋５，７を内外方向に離隔配置した一対のものとし，該離隔配置することによって一対の開閉蓋５，７間に室内外を閉鎖し空気が滞留する閉鎖空間１０を配置し，風圧に対して該閉鎖空間１０がその緩衝乃至減衰作用を発揮し又は遮断作用を発揮することによって，風圧に起因する音鳴り，外気温の風の室内への吹き込み，外部の騒音や塵埃の進入等，上記風圧に起因する問題点を解消した新設用乃至改装用の郵便受設置鋼製ドア１とすることができ，上記例にあっては更に構成部材間に気密材２１を適宜に介設することによって，閉鎖空間１０の密封性を向上し，該閉鎖空間１０を気密空間とするように密封した封止空間とすることによって，風圧が遮断されて風圧に起因する問題点のない鋼製ドアとすることができる。
【００３８】
上記離隔配置一対の開閉蓋５，７は，内側に向けて跳ね上げ開閉するようにし，またこれらを連動開閉するものとしたから，違和感がなく郵便物，新聞等をスムーズに投入し得て，使い勝手のよい郵便受とすることができ，また一対の開閉蓋５，７を合計の板厚を１ｍｍ以上とした金属板によって形成することによって防火戸，特に甲種防火戸の基準に適合するものとなし得るから，鋼製ドア３を該防火戸とすれば，これに鋼製ドア１の表面板に使用される，例えば０．６ｍｍ，０．８ｍｍといった比較的薄い金属板によって郵便受３を可及的に低コストのものとして構成しても鋼製ドア１の防火戸適合性，特に甲種防火戸の適合性を損うこともない。更に目隠しフード２５が郵便投入口４からの透視を防止するから，一対の開閉蓋５，７を連動開閉するものとして構成してもその防犯性を確保することができる。
【００３９】
このように上記例の鋼製ドア１は，これを新設用として新築建築物の住戸入口に設置し，また改装用として既設建造物の住戸入口に設置しても，それぞれ郵便受３における風圧に起因する問題点を解消して，その居住性の確保，使い勝手の確保をなし得るものとすることができる。
【００４０】
図示した例は以上のとおりとしたが，例えば郵便受の枠，特に上記例における内枠を鋼製ドアの透孔から内側に突出するように配置することによって内側の開閉蓋を鋼製ドアの透孔から幾分内側に突出するように配置して，一対の開閉蓋間の封鎖空間を鋼製ドアの透孔より内側に奥行を深くするように形成すること，このとき必要に応じて枠及び内側の開閉蓋を鋼製ドアの透孔より幾分大きく形成すること，一対の開閉蓋を装着する枠を化粧枠と内枠に分離形成することなく奥行方向に一体に形成したものとし，必要に応じて上記化粧額縁を用いてその露出を防止して室内外観を化粧すること，外側の開閉蓋を跳ね上げ開閉自在とする一方，内側の開閉蓋を転倒開閉するように枠の底板に軸支固定し又は左右に片開き開閉するように枠の側板に軸支固定すること，また内側の開閉蓋を左右に分離形成し観音開き開閉を行なうように同じくそれぞれ枠の側板に軸支固定すること，この場合を含めて一対の開閉蓋の開閉を連動開閉することなく，それぞれ独立開閉するものとすること，目隠しフードに代えて，必要に応じて，例えば目隠しカーテン等を用いること，上記郵便受を鋼製ドアの交換用とし，鋼製ドアに設置の既設郵便受を除去してその既設透孔に交換的に設置するように用いること，郵便受を袖付きドアや袖付き引戸の袖部分に設置し，また門柱，玄関前のコンクリート外壁等に設置する等，鋼製ドア以外に設置するようにすること等を含めて，本発明の実施に当って，郵便受，その郵便投入口，一対の開閉蓋，閉鎖空間の具体的構造，形状，材質，これらの関係，これらに対する付加，郵便受の設置対象等は，上記発明の要旨に反しない限り様々な形態のものとすることができ，上記図示して説明した形態のものに限る必要はない。
【図面の簡単な説明】
【００４１】
【図１】鋼製ドアの正面図である。
【図２】郵便受部分の縦断面図である。
【図３】郵便受部分の分解斜視図である。
【図４】他の例にかかる郵便受部分の縦断面図である。
【符号の説明】
【００４２】
１  鋼製ドア
２  透孔
３  郵便受
４  郵便投入口
５  外側の開閉蓋
７  内側の開閉蓋
１０  閉鎖空間
１３  枠体
１４  化粧枠
１７  内枠
２１  気密材
２２  断熱遮音塗布層
２４  化粧額縁
２５  目隠しフード
【図１】
2005278777.tif 000003
【図２】
2005278777.tif 000004
【図３】
2005278777.tif 000005
【図４】
2005278777.tif 000006